(57)【要約】【課題】安定して良好な縫い目形成を行う。【解決手段】ミシンベッド部３０と立胴部２１とミシンアーム部２２とを有するミシンフレーム２０を備え、ミシンベッド部が、立胴部の下から布送り方向上流側に延出された第一延出部３１と、第一延出部の先端部からミシンアーム部と同じ方向に延出された第二延出部３２と、第二延出部の先端部から布送り方向下流側に延出された第三延出部３３とを有する送り出し腕型二重環縫いミシン１０において、ミシンアーム部に設けられた上軸６１と、ミシンベッド部の第二延出部に設けられた下軸６２と、ミシンベッド部の第一延出部における立胴部の下側に設けられた中間軸５２と、中間軸に回転力を入力するミシンモーター１２と、中間軸から上軸に回転力を伝える第一のタイミングベルト５６と、中間軸から下軸に回転力を伝える第二のタイミングベルト５７とを備えている。【選択図】図３
2019058231.tif 000002
【特許請求の範囲】
【請求項１】
ミシンベッド部と立胴部とミシンアーム部とを有するミシンフレームを備え、
前記ミシンベッド部が、前記立胴部の下から布送り方向上流側に延出された第一延出部と、前記第一延出部の先端部から前記ミシンアーム部と同じ方向に延出された第二延出部と、前記第二延出部の先端部から布送り方向下流側に延出された第三延出部とを有する送り出し腕型二重環縫いミシンにおいて、
前記ミシンアーム部に設けられた上軸と、
前記ミシンベッド部の前記第二延出部に設けられた下軸と、
前記ミシンベッド部の前記第一延出部における前記立胴部の下側に設けられた中間軸と、
前記中間軸に回転力を入力するミシンモーターと、
前記中間軸から前記上軸に回転力を伝える第一のタイミングベルトと、
前記中間軸から前記下軸に回転力を伝える第二のタイミングベルトとを備えることを特徴とする送り出し腕型二重環縫いミシン。
【請求項２】
前記第一のタイミングベルトと前記第二のタイミングベルトとがおなじ長さのベルトであることを特徴とする請求項１記載の送り出し腕型二重環縫いミシン。
【発明の詳細な説明】
【技術分野】
【０００１】
本発明は、ミシンベッド部に布押さえ送り方向に沿った腕部を備える送り出し腕型二重環縫いミシンに関する。
【背景技術】
【０００２】
従来から、ミシンベッド部を平面視でコ字状に形成し、布送り方向に沿った腕部を設け、当該腕部の先端に針板を設けて縫製を行う、いわゆる送り出し腕型二重環縫いミシンが使用されている。
この送り出し腕型二重環縫いミシン１００は、図５に示すように、ミシンフレーム１０１がミシンベッド部１１０と立胴部１０２とミシンアーム部１０３とからなり、ミシンベッド部１１０が、立胴部１０２の下から布送り方向上流側に延出された第一延出部１１１と、第一延出部１１１の先端部からミシンアーム部１０３と同方向に延出された第二延出部１１２と、第二延出部１１２の先端部から布送り方向下流側に延出された第三延出部１１３とを有している。
そして、ミシンアーム部１０３に設けられた上軸に図示しないミシンモーターから回転力が入力され、第二延出部１１２に設けられた下軸には、上軸から斜めに掛け渡されたタイミングベルトを介して回転力が伝達されている。図５の符号１０４はタイミングベルトが格納されたベルトカバーである（例えば、特許文献１の図２参照）。
【０００３】
また、他の送り出し腕型二重環縫いミシンでは、図５と同形状のミシンベッド部を備え、上軸から下軸に回転力を伝達するタイミングベルトが、立胴部から第一延出部に沿って屈曲した状態で掛け渡されている。
【先行技術文献】
【特許文献】
【０００４】
【特許文献１】特開平０４−０２６４５８号公報
【発明の概要】
【発明が解決しようとする課題】
【０００５】
しかしながら、上記従来の送り出し腕型二重環縫いミシンは、上軸から下軸に斜め方向又は屈曲した経路に沿って掛け渡されているため、タイミングベルトの長さが非常に長くなり、タイミングベルトの伸びの影響が大きくなり、上軸と下軸の間で回転量のズレが生じ易く、縫製時の目飛び等が発生するおそれがあった。
例えば、目飛びが発生した場合には、途中からの縫い直しが困難であることから、最初からの縫い直しが余儀なくされ、作業効率を大きく損なうという問題があった。
また、上軸から下軸に斜めに掛け渡されたタイミングベルトとそれを格納するベルトカバーが縫製物を取り回す際のスペースを塞ぐ配置となっていた。
【０００６】
本発明は、安定して縫い目を形成することができる送り出し腕型二重環縫いミシンを提供することをその目的とする。
【課題を解決するための手段】
【０００７】
請求項１記載の発明は、
ミシンベッド部と立胴部とミシンアーム部とを有するミシンフレームを備え、
前記ミシンベッド部が、前記立胴部の下から布送り方向上流側に延出された第一延出部と、前記第一延出部の先端部から前記ミシンアーム部と同じ方向に延出された第二延出部と、前記第二延出部の先端部から布送り方向下流側に延出された第三延出部とを有する送り出し腕型二重環縫いミシンにおいて、
前記ミシンアーム部に設けられた上軸と、
前記ミシンベッド部の前記第二延出部に設けられた下軸と、
前記ミシンベッド部の前記第一延出部における前記立胴部の下側に設けられた中間軸と、
前記中間軸に回転力を入力するミシンモーターと、
前記中間軸から前記上軸に回転力を伝える第一のタイミングベルトと、
前記中間軸から前記下軸に回転力を伝える第二のタイミングベルトとを備えることを特徴とする。
【０００８】
請求項２記載の発明は、請求項１に記載の送り出し腕型二重環縫いミシンにおいて、
前記第一のタイミングベルトと前記第二のタイミングベルトとがおなじ長さのベルトであることを特徴とする。
【発明の効果】
【０００９】
本発明は、送り出し腕型二重環縫いミシンのように、上軸と下軸が離れて配置される場合でも、中間軸を設け、中間軸から上軸に第一のタイミングベルトで回転力を伝え、中間軸から下軸に第二のタイミングベルトで回転力を伝える構成であることから、それぞれのタイミングベルトを短くすると共にタイミングベルトの伸びの影響を低減することができ、上軸と下軸の間の回転量のズレを低減して、目飛び等の発生を抑制することができる。
従って、安定して縫い目を形成することが可能となる。
【図面の簡単な説明】
【００１０】
【図１】発明の実施形態である送り出し腕型二重環縫いミシンの斜視図である。
【図２】ベルトカバー及びモーターカバーを外した状態のミシンフレームの右端部を示す斜視図である。
【図３】ベルトカバー、モーターカバー及びモーター土台を外した状態のミシンフレームの右端部を示す斜視図である。
【図４】ミシンベッド部の第一延出部の中間軸に沿った断面図である。
【図５】従来の送り出し腕型二重環縫いミシンの斜視図である。
【発明を実施するための形態】
【００１１】
［実施形態の概略構成］
以下、本発明の実施形態である送り出し腕型二重環縫いミシン１０について詳細に説明する。
図１は送り出し腕型二重環縫いミシン１０の斜視図である。
本発明の実施形態である送り出し腕型二重環縫いミシン１０は、ミシンフレーム２０と、後述するミシンベッド部３０に設けられた針板１１の上面の被縫製物を布押さえで上から押さえる布押さえ機構と、針板１１上の被縫製物に対して縫い針による針落ちを行う針上下動機構と、針板１１の下側から被縫製物を送り歯によって所定の布送り方向に送る布送り機構と、縫い針の上糸に対してルーパ糸を絡めるルーパ機構と、布押さえの布送り方向下流側で布送り機構とは別にローラーの回転により被縫製物の送りを行う先引きローラー機構４０と、上糸の引き上げを行う天秤機構と、上糸に張力を付与する糸調子と、ミシンモーター１２から各部に動力を伝達する伝達機構５０とを備えている。なお、ミシンフレーム２０及び伝達機構５０を除く他の構成については、送り出し腕型二重環縫いミシンが備える周知の構成と同一なので、図示を省略し、詳細な説明も省略する。
【００１２】
［ミシンフレーム］
上記ミシンフレーム２０は、送り出し腕型二重環縫いミシン１０の全体において下部に位置するミシンベッド部３０と、ミシンベッド部３０の一端部において上方に立設された立胴部２１と、立胴部２１の上端部から所定方向に延出されたミシンアーム部２２と、立胴部２１及びミシンベッド部３０の右側において伝達機構５０を覆うベルトカバー２３と、ミシンモーター１２を覆うモーターカバー２４とを備えている。
以下、ミシンアーム部２２の長手方向に平行な水平方向をＹ軸方向とし、ミシンアーム部２２の面部側を「左」、立胴部２１側を「右」とする。また、水平方向であってＹ軸方向に直交する方向をＸ軸方向とする。このＸ軸方向は送り出し腕型二重環縫いミシン１０による被縫製物の送り方向に平行であり、被縫製物の送り方向下流側を「前」、上流側を「後」とする。また、Ｘ軸方向及びＹ軸方向に直交する方向をＺ軸方向とし、その一方を「上」、他方を「下」とする。
【００１３】
また、上記ミシンベッド部３０は、立胴部２１の下から布送り方向上流側（後方）に延出された第一延出部３１と、第一延出部３１の先端部からミシンアーム部２２と同じ方向（左方）に延出された第二延出部３２と、第二延出部３２の先端部から布送り方向下流側（前方）に延出された第三延出部３３とを有している。
ミシンベッド部３０は、被縫製物の作業台として使用されるので、上記第一から第三延出部３１〜３３は、それぞれの上面が全体的にＸ−Ｙ平面に沿った同一平面で連なって、全体的に平坦に形成されている。
また、第三延出部３３の前端部における上部には、第一から第三延出部３１〜３３の上面と面一となる針板１１が設けられている。
【００１４】
［針上下動機構］
針上下動機構は、ミシンモーター１２から伝達機構５０を介して回転力を受ける上軸６１（図２参照）と、縫い針を下端部で保持する針棒と、上軸６１の回転力を上下動の往復駆動力に変換して針棒に伝達するクランク機構とを備えている。
上軸６１は、ミシンアーム部２２の内側においてＹ軸方向に沿った状態で回転可能に支持されている。
【００１５】
［ルーパ機構］
ルーパ機構は、針板１１の下側に設けられたルーパと、ルーパの先端をＹ軸方向に沿って揺動させる揺動機構とを備えている。
ルーパは、尖鋭な先端部の糸通し孔にルーパ糸が挿通されている。そして、ルーパは、針板の下で上昇する縫い針に対して、左方に向かって進出することにより、上糸のループにルーパ糸を挿通し、右方に向かって後退することにより、ルーパ糸にループが形成され、次の針落ちによりルーパ糸のループに縫い針が突入する。これらの動作を繰り返すことで、ルーパ糸のループと上糸のループとが交互に挿通されて結節が形成される。
【００１６】
揺動機構は、ミシンモーター１２から伝達機構５０を介して回転力を受ける下軸６２（図２参照）と、下軸６２の全回転を往復回動に変換して各ルーパに伝達する伝達部材とを備え、これらによってルーパをＹ軸方向に沿って往動させる。
下軸６２は、ミシンベッド部３０の第二延出部３２の内側においてＹ軸方向に沿った状態で回転可能に支持されている。
【００１７】
［布送り機構］
布送り機構は、針板１１の図示しない開口部から出没する送り歯と、送り歯に対してＺ軸方向の往復動作とＸ軸方向の往復動作とを合成して伝達する送り伝達機構とを備えている。
送り歯は、針板１１に形成されたＸ軸方向に沿ったスリット状の開口部から出没する鋸歯状の歯を備えており、Ｚ軸方向の往復動作とＸ軸方向の往復動作とを合成してなる長円運動を行い、長円における上部を移動する際に開口部から歯先が上方に突出しながら前方に移動して、被縫製物を前方に送ることを可能とする。
送り伝達機構は、前述した下軸６２の全回転をＸ軸方向に沿った往復動作とＺ軸方向に沿った往復動作に変換して送り歯に伝達することで、当該送り歯に長円運動を付与している。
【００１８】
［伝達機構］
図２は上記ベルトカバー２３及びモーターカバー２４を外した状態のミシンフレーム２０の右端部を示す斜視図、図３はさらに後述するモーター土台５１を外した状態の斜視図、図４はミシンベッド部３０の第一延出部３１の中間軸５２（後述）に沿った断面図である。
【００１９】
伝達機構５０は、ミシンモーター１２を支持するモーター土台５１と、ミシンモーター１２から回転力を入力される中間軸５２と、中間軸５２に設けられた中間軸スプロケット５３と、上軸６１に設けられた上軸スプロケット５４と、下軸６２に設けられた下軸スプロケット５５と、中間軸スプロケット５３から上軸スプロケット５４に掛け渡された第一のタイミングベルト５６と、中間軸スプロケット５３から下軸スプロケット５５に掛け渡された第二のタイミングベルト５７とを備えている。
【００２０】
中間軸５２は、ミシンベッド部３０の第一延出部３１の前端部であって立胴部２１の真下となる位置において、Ｙ軸方向に沿った状態で支持されている。
この中間軸５２は、その左端部と長手方向の中間部において第一延出部３１の内部に配設された二つの軸受５２１によりＹ軸回りに回転可能に支持されており、右端部は第一延出部３１から右方に突出している。
さらに、中間軸５２は、その右端部がミシンモーター１２の出力軸に連結されており、ミシンモーター１２と第一延出部３１の間には中間軸スプロケット５３が装備されている。この中間軸スプロケット５３は、中間軸５２に固定的に連結され、中間軸スプロケット５３と中間軸５２は一体的に回転を行う。
【００２１】
モーター土台５１は、第一延出部３１の右端面に固定装備されており、前述した中間軸５２がモーター土台５１を貫通している。また、このモーター土台５１の内部にも中間軸５２を回転可能に支持する軸受５１１が装備されている。
さらに、モーター土台５１は、その右端部において、ミシンモーター１２を固定的に支持している。ミシンモーター１２は、モーター土台５１により、その出力軸を左方に向けた状態で前述した中間軸５２と同心となるように支持されている。
そして、ミシンモーター１２の出力軸と中間軸５２の右端部は、カップリング５１２により連結されている。
これにより、中間軸５２及び中間軸スプロケット５３は、ミシンモーター１２から直接的に回転力が入力される。
【００２２】
前述した上軸６１は、その右端部がミシンアーム部２２の右端部から右方に突出した状態で装備されており、上軸６１の右端部に上軸スプロケット５４が装備されている。この上軸スプロケット５４は、上軸６１に固定的に連結され、上軸スプロケット５４と上軸６１とは一体的に回転を行う。
【００２３】
前述した下軸６２は、その右端部がミシンベッド部３０の第二延出部３２の右端部から右方に突出した状態で装備されており、下軸６２の右端部に下軸スプロケット５５が装備されている。この下軸スプロケット５５は、下軸６２に固定的に連結され、下軸スプロケット５５と下軸６２とは一体的に回転を行う。
【００２４】
第一のタイミングベルト５６と第二のタイミングベルト５７は、いずれも無端環状ベルトであり、長さの等しい同一のベルトが使用される。つまり、中間軸５２と上軸６１の軸間距離と中間軸５２と下軸６２の軸間距離は等しくなるように、それぞれの配置が設定されている。
そして、中間軸スプロケット５３と上軸スプロケット５４と下軸スプロケット５５は、いずれも歯付きスプロケットであり、第一のタイミングベルト５６及び第二のタイミングベルト５７は歯付きベルトである。従って、各スプロケット５３〜５５と、各タイミングベルト５６，５７は、各々の歯が噛合し、回転を正確に伝えることができる。
【００２５】
また、伝達機構５０は、中間軸スプロケット５３と上軸スプロケット５４とに張設された第一のタイミングベルト５６を位置ａにおいて内側に押圧する図示しないテンションローラーと、中間軸スプロケット５３と下軸スプロケット５５とに張設された第二のタイミングベルト５７を位置ｂにおいて内側に押圧する図示しないテンションローラーとを備えている。
これにより、各タイミングベルト５６，５７の弛みを解消すると共に、各スプロケット５３〜５５に対する各タイミングベルト５６，５７の噛合する範囲を180°より大きくすることができ、歯飛びの発生を低減してより回転を正確に伝えることができる。
【００２６】
［伝達機構の動作］
上記構成からなる伝達機構５０は、ミシンモーター１２が駆動すると、中間軸５２に回転力が入力される。
そして、中間軸スプロケット５３から第一のタイミングベルト５６を介して上軸スプロケット５４に回転力が伝達され、上軸６１が回転を行う。
これにより、針上下動機構が縫い針の上下動を行う。
また、中間軸スプロケット５３から第二のタイミングベルト５７を介して下軸スプロケット５５に回転力が伝達され、下軸６２が回転を行う。
これにより、ルーパ機構がルーパの揺動を行い、布送り機構が送り歯の送り動作を実行する。
従って、縫い針とルーパが協働して二重環縫いの縫い目を形成し、送り歯は所定の縫いピッチで被縫製物を送り、二重環縫いが実行される。
【００２７】
［発明の実施形態の技術的効果］
上記送り出し腕型二重環縫いミシン１０では、ミシンベッド部３０の第一延出部３１における立胴部２１の下側に中間軸５２を設け、第一のタイミングベルト５６を介して中間軸５２から上軸６１に回転力を伝え、第二のタイミングベルト５７を介して中間軸５２から下軸６２に回転力を伝えている。
これにより、それぞれのタイミングベルト５６，５７を短くすると共にタイミングベルト５６，５７の伸びの影響を低減することができ、上軸６１と下軸６２の間の回転量のズレを低減して、目飛び等の発生を抑制することができる。従って、安定して縫い目を形成することが可能となる。
特に、送り出し腕型二重環縫いミシン１０の場合には、目飛びの発生を低減することで、縫い直し頻度を低減し、生産性の向上を図ることが可能となる。
【００２８】
また、第一のタイミングベルト５６と第二のタイミングベルト５７とが長さが等しい同一のベルトであることから、ミシンモーター１２の駆動時における第一のタイミングベルト５６の伸び量と第二のタイミングベルト５７の伸び量の差をより低減することができ、さらに目飛び等の発生を抑制して、より安定的に縫い目を形成することが可能となる。
【００２９】
［その他］
上記送り出し腕型二重環縫いミシン１０では、中間軸５２に対してミシンモーター１２が同心で同時回転を行うように直接的に連結されているが、これに限定されない。
例えば、ミシンモーター１２を、送り出し腕型二重環縫いミシン１０を設置するテーブルの下側に配置し、ミシンモーター１２の出力軸と中間軸５２とにプーリを装備し、Ｖベルト等の伝達ベルトでミシンモーター１２から中間軸５２に回転力を入力する構成としても良い。
【００３０】
また、上記送り出し腕型二重環縫いミシン１０では、先引きローラー機構４０を備えている場合を例示したが、この先引きローラー機構４０は必須ではなく、先引きローラー機構４０を備えない構成とした場合でも、二重環縫いを行うことは可能である。
【符号の説明】
【００３１】
１０  送り出し腕型二重環縫いミシン
１１  針板
１２  ミシンモーター
２０  ミシンフレーム
２１  立胴部
２２  ミシンアーム部
２３  ベルトカバー
２４  モーターカバー
３０  ミシンベッド部
３１  第一延出部
３２  第二延出部
３３  第三延出部
５０  伝達機構
５２  中間軸
５３  中間軸スプロケット
５４  上軸スプロケット
５５  下軸スプロケット
５６  第一のタイミングベルト
５７  第二のタイミングベルト
６１  上軸
６２  下軸
５１２  カップリング
Ｃ被縫製物
【図１】
2019058231.tif 000003
【図２】
2019058231.tif 000004
【図３】
2019058231.tif 000005
【図４】
2019058231.tif 000006
【図５】
2019058231.tif 000007